(57)【要約】  電子装置（１０）の第１のポート（１４）と第２のポート（１８）に接続されたアクセサリ装置（１２）を、第１のポートと第２のポートとの間のアクセサリ装置のインピーダンスを測定することによって識別する装置及び方法が提供される。電子装置は、一般的には、アクセサリ装置からの第１のコネクタを受容する第１のポート（例えば、ユニバーサル・シリアル・バス）と、アクセサリ装置からの第２のコネクタを受容する第２のポート（例えば、オーディオポート）とを有する。電子装置は、第１のポートと第２のポートとの間で測定されるアクセサリ装置に関するインピーダンスを測定するための、第１のポートと第２のポートとに接続された回路網（６２）を含む。アクセサリ装置の識別は、電子装置のインピーダンスに基づいてなされる。
2011505714.tif 000002
【特許請求の範囲】
【請求項１】
アクセサリ装置（１２）からの第１のコネクタ（１６）を受容する第１のポート（１４）と、
前記アクセサリ装置からの第２のコネクタ（２０）を受容する第２のポート（１８）と、
前記第１のポートと前記第２のポートとの間で測定されるような前記アクセサリ装置に関するインピーダンスを測定するために、前記第１のポートと前記第２のポートとに接続された回路網（６２）と、
を有することを特徴とする電子装置（１０）。
【請求項２】
前記第１のポートは、ユニバーサル・シリアル・バス（ＵＳＢ）ポートであることを特徴とする請求項１に記載の電子装置。
【請求項３】
前記第２のポートは、オーディオポートであることを特徴とする請求項１又は２に記載の電子装置。
【請求項４】
前記電子装置から前記アクセサリ装置への１つ以上の出力信号を、アクセサリ識別情報に基づいて調整するためのオーディオ信号処理回路網（１５０）を更に有することを特徴とする請求項１乃至３のいずれか１項に記載の電子装置。
【請求項５】
前記回路網は、前記第１のポートと前記第２のポートとに接続された前記アクセサリ装置にＲＦ励振信号を供給し、前記ＲＦ励振信号が前記アクセサリ装置へ転送される程度に基づいてインピーダンス及び／又は抵抗を検出することを特徴とする請求項１乃至４のいずれか１項に記載の電子装置。
【請求項６】
前記回路網は、前記ＲＦ励振信号からのエネルギが転送される程度を検出するために、前記アクセサリ装置に供給された前記ＲＦ励振信号の定在波比を測定することを特徴とする請求項１乃至５のいずれか１項に記載の電子装置。
【請求項７】
前記回路網は定在波比計（１５６）を含むことを特徴とする請求項６に記載の電子装置。
【請求項８】
アクセサリ識別情報を前記第１のポートと前記第２のポートとの間で測定されるインピーダンスの関数として記憶するための、前記回路網に接続されたメモリを更に有することを特徴とする請求項１乃至７のいずれか１項に記載の電子装置。
【請求項９】
前記回路網は、メモリに蓄積されたアクセサリ識別情報から、前記第１のポートと前記第２のポートとに接続されたアクセサリ装置を識別することを特徴とする請求項１乃至８のいずれか１項に記載の電子装置。
【請求項１０】
前記電子装置は携帯電話機であることを特徴とする請求項１乃至９のいずれか１項に記載の電子装置。
【請求項１１】
前記アクセサリ装置はヘッドセット・アクセサリ装置であることを特徴とする請求項１乃至１０のいずれか１項記載の電子装置。
【請求項１２】
アクセサリ装置（１２）を識別するための方法であって、
アクセサリ装置からの第１のコネクタ（１６）を第１のポート（１４）で受容するステップと、
前記アクセサリ装置からの第２のコネクタ（２０）を第２のポート（１８）で受容するステップと、
前記第１のポートと前記第２のポートとの間で測定されるような前記アクセサリ装置に対応するインピーダンスを測定するステップと、
前記測定されたインピーダンスに基づいて前記アクセサリ装置を識別するステップと、
を有することを特徴とする方法。
【請求項１３】
前記第１のポートは、ユニバーサル・シリアル・バス（ＵＳＢ）ポートであることを特徴とする請求項１２に記載の方法。
【請求項１４】
前記第２のポートは、オーディオポートであることを特徴とする請求項１２又は１３に記載の方法。
【請求項１５】
前記アクセサリ装置の識別情報を決定するために、前記第１のポートと前記第２のポートとの間で測定されるインピーダンスと、メモリに格納された１つ以上の値とを比較するステップを更に有し、前記メモリは、アクセサリ識別情報を前記第１のポートと前記第２のポートとの間で測定されるインピーダンスの関数として記憶することを特徴とする請求項１２乃至１４のいずれか１項に記載の方法。
【請求項１６】
前記アクセサリ識別情報は、前記メモリにおけるテーブル（６４）に格納されていることを特徴とする請求項１２乃至１５のいずれか１項に記載の方法。
【請求項１７】
前記第１のポートと前記第２のポートとの間で測定されるインピーダンスに少なくとも部分的に基づいて、前記アクセサリ装置の出力を調整するステップを更に有することを特徴とする請求項１２乃至１６のいずれか１項に記載の方法。
【請求項１８】
前記インピーダンスを測定するステップは、
前記第１のポートと前記第２のポートとに接続された前記アクセサリ装置にＲＦ励振信号を供給するステップと、
前記ＲＦ励振信号が前記アクセサリ装置に転送される程度に基づいてインピーダンスを検出するステップと、
を含むことを特徴とする請求項１２乃至１７のいずれか１項に記載の方法。
【発明の詳細な説明】
【技術分野】
【０００１】
本発明は、一般的には、通信機能を実行するためのアクセサリ装置を利用する電子装置に関し、具体的には、電子装置に取り付けれらたアクセサリ装置に関するインピーダンス及び／又は抵抗を測定してそのアクセサリ装置を識別する装置及び方法に関係する。
【背景技術】
【０００２】
コンピュータ、携帯及び／又は無線電子装置を含む電子装置は、ますます普及している。例えば、携帯電話機、携帯メディアプレーヤー、及び携帯ゲーム装置は、今や広い範囲で用いられている。更に、或る種の電子装置に関係する特徴機能とアクセサリはますます増えている。いくつか例を挙げると、多くの電子装置は、カメラ、テキスト伝言機能、インターネット閲覧機能、電子メール機能、ビデオ再生機能、オーディオ再生機能、画像表示機能、ハンズフリー・ヘッドホン・インタフェースを持っている。アクセサリには例えば、ヘッドフォン、音楽及びビデオ入力プレーヤーなどが含まれうる。
【０００３】
多くの電子装置は、例えば、ハンズフリー・ヘッドセット、ヘッドフォンなどのようなアクセサリが接続されるオーディオ・コネクタを有する。オーディオ・コネクタに加えて、多くの電子装置は、少なくとも１つのユニバーサル・シリアル・バス（ＵＳＢ）コネクタを含んでいるのが一般的である。このような装置のためのオーディオ・コネクタ及びＵＳＢコネクタは、通常は、それぞれの配線の、又はプリント回路配線その他の１つ以上の端子又は端子部分を含み、それを通して、例えば携帯電話機のコネクタと、例えばアクセサリ装置のコネクタ間に電気信号が導通する。
【０００４】
電子装置のいくつかのオーディオ・コネクタは、アクセサリのアクセサリ・コネクタの対応するピン又は電気経路との接続のために５個のピン又は５個の電気経路を用いてきた。多量のデータ，信号その他がコネクタ及びこのような接続経路を経由して転送できる。しかしながら、導通経路の数、たとえばピン及び／又は導電配線，線、端子その他の数が減少すると、電子装置とアクセサリの間を転送することができるデータ、信号などの量が減少するであろう。例えば、しばしば３．５ミリ・コネクタと呼ばれるような新電気的コネクタは、例えばオーディオ信号接続などの同じ目的に対して用いられてきた他のコネクタを用いれば得ることの出来た５個の経路ではなく４つの導電経路しか持つことができないことになる。
【０００５】
オーディオ・コネクタからの導電経路の数は制限を受け、ＵＳＢコネクタからの導電経路の数は従来のように４又は５個であるとすると、電子装置と付属のアクセサリ装置間で用いることができる信号の授受の方法が制限される。ピンの１つ以上（例えば、２つのピン）が電子装置に接続されたアクセサリ装置の形式を識別する目的に専用されると、信号授受の方法はさらに減少する。
【発明の概要】
【発明が解決しようとする課題】
【０００６】
そのような実施形態の１つの欠点は、電気デバイス上のコネクタの数が限られること、及び各コネクタ上のピンの数が限られることである。このように、更なる機能性を提供し、及び／又はユーザ・エクスペリエンス（例えば、電子装置とアクセサリ装置との間のユーザ・インタラクション）を向上させようとすると用いることのできるピンの数は、今度は、アクセサリ識別のための特徴機能を提供するために必要とされる。オーディオ・コネクタが５個のピンから４個のピンに減少すると、この機能性は、更に大きく減少する。
【０００７】
上記の欠点に鑑みて、従来技術では、アクセサリ装置に関係するインピーダンスを利用して特定のアクセサリを識別することのできるシステム及び装置に対して強いニーズが存在する。特に、更なるコネクタ・ピンなどを必要としないようなシステム及び装置に対する強いニーズが存在し、特に、アクセサリ装置の識別に基づいて最適に機能するように構成されたアクセサリ装置及び／又は電子装置を識別するための、システム・コネクタにおいて得られるピンの数が制限されているような環境において強いニーズが存在する。
【課題を解決するための手段】
【０００８】
本発明の一側面は、アクセサリ装置からの第１のコネクタを受容する第１のポートと、前記アクセサリ装置からの第２のコネクタを受容する第２のポートと、前記第１のポートと前記第２のポートとの間で測定されるような前記アクセサリ装置に関するインピーダンスを測定するために、前記第１のポートと前記第２のポートとに接続された回路網とを有する電子装置に関係する。
【０００９】
本発明の他の側面において、前記第１のポートはユニバーサル・シリアル・バス（ＵＳＢ）ポートである。
【００１０】
本発明の他の側面において、前記第２のポートはオーディオポートである。
【００１１】
本発明の他の側面において、前記電子装置から前記アクセサリ装置への１つ以上の出力信号を、アクセサリ識別情報に基づいて調整するためのオーディオ信号処理回路網を更に有する。
【００１２】
本発明の他の側面において、前記回路網は、前記第１のポートと前記第２のポートとに接続された前記アクセサリ装置にＲＦ励振信号を供給し、前記ＲＦ励振信号が前記アクセサリ装置へ転送される程度に基づいてインピーダンス及び／又は抵抗を検出する。
【００１３】
本発明の他の側面は、前記回路網は、前記ＲＦ励振信号からのエネルギが転送される程度を検出するために、前記アクセサリ装置に供給された前記ＲＦ励振信号の定在波比を測定する。
【００１４】
本発明の他の側面において、前記回路網は定在波比計を含む。
【００１５】
本発明の他の側面において、アクセサリ識別情報を前記第１のポートと前記第２のポートとの間で測定されるインピーダンスの関数として記憶するための、前記回路網に接続されたメモリを更に有する。
【００１６】
本発明の他の側面において、前記回路網は、メモリに蓄積された前記アクセサリ識別情報から、前記第１のポートと前記第２のポートとに接続されたアクセサリ装置を識別する。
【００１７】
本発明の他の側面において、前記電子装置は携帯電話機であることを特徴とする。
【００１８】
本発明の他の側面において、前記アクセサリ装置はヘッドセット・アクセサリ装置であることを特徴とする。
【００１９】
本発明の１つの側面は、アクセサリ装置を識別するための方法であって、アクセサリ装置からの第１のコネクタを第１のポートで受容するステップと、前記アクセサリ装置からの第２のコネクタを第２のポートで受容するステップと、前記第１のポートと前記第２のポートとの間で測定されるような前記アクセサリ装置に対応するインピーダンスを測定するステップと、前記測定されたインピーダンスに基づいて前記アクセサリ装置を識別するステップとを有することを特徴とする方法に関係する。
【００２０】
本発明の他の側面において、前記第１のポートは、ユニバーサル・シリアル・バス（ＵＳＢ）ポートであることを特徴とする。
【００２１】
本発明の他の側面において、前記第２のポートは、オーディオポートであることを特徴とする。
【００２２】
本発明の他の側面において、前記アクセサリ装置の識別情報を決定するために、前記第１のポートと前記第２のポートとの間で測定されるインピーダンスと、メモリに格納された１つ以上の値とを比較するステップを更に有し、前記メモリは、アクセサリ識別情報を前記第１のポートと前記第２のポートとの間で測定されるインピーダンスの関数として記憶することを特徴とする。
【００２３】
本発明の他の側面において、前記アクセサリ識別情報は、前記メモリにおけるテーブルに格納されていることを特徴とする。
【００２４】
本発明の他の側面において、前記第１のポートと前記第２のポートとの間で測定されるインピーダンスに少なくとも部分的に基づいて、前記アクセサリ装置の出力を調整するステップを更に有することを特徴とする。
【００２５】
本発明の他の側面において、前記インピーダンスを測定するステップは、前記第１のポートと前記第２のポートとに接続された前記アクセサリ装置にＲＦ励振信号を供給するステップと、前記ＲＦ励振信号が前記アクセサリ装置に転送される程度に基づいてインピーダンスを検出するステップとを含むことを特徴とする。
【００２６】
上記した関連目的を達成するために、本発明は、以下に十分に記述され、特に請求の範囲にて定義される特徴機能を備える。以下の記述と添付の図面は、本発明のいくつかの例示的な実施形態を述べたものである。ただし、これらの実施形態は例示目的であり、本発明の原理が用いられる色々な様式の中のいくつかに過ぎない。本発明の他の目的、利点、及び新規な特徴機能は、図面及び本発明の以下の詳細な記述から明らかになるであろう。
【図面の簡単な説明】
【００２７】
【図１】本発明の典型的な実施形態による電子装置とアクセサリ装置の斜視図である。
【図２】本発明の典型的な実施形態による図１の電子装置とアクセサリ装置のブロック図である。
【図３】本発明の典型的な実施形態による図１の電子装置のインピーダンス検出回路網の典型的なブロック図である。
【図４】本発明の典型的な実施形態による自動アクセサリ識別と構成用の回路の動作を表すフローチャートである。
【発明を実施するための形態】
【００２８】
この明細書において用いられるときは、「備える／備えている」という用語は、記述された特徴機能、整数、ステップ、又は部品の存在を規定するが、１つ以上の他の特徴機能、整数、ステップ、部品又はその集合の存在又は追加を排除するものではないものと受け取るべきものであることは強調すべきことである。
【００２９】
本発明は、電子装置の第１のポートと第２のポートに接続されたアクセサリ装置を、第１のポートと第２のポートとの間のアクセサリ装置のインピーダンスを測定することによって識別することを目指している。電子装置は、一般的には、関連アクセサリ装置からの第１のコネクタを受容する第１のポート（例えば、ユニバーサル・シリアル・バス）と関連アクセサリ装置からの第２のコネクタを受容する第２のポート（例えば、オーディオポート）とを含む。電子装置は、第１のポートと第２のポートに接続された回路網であって第１のポートと第２のポートとの間で測定されるようなアクセサリ装置に関するインピーダンスを測定するための回路網を含む。アクセサリ装置の識別は、電子装置のインピーダンスに基づいてなされる。
【００３０】
以下、本発明の実施形態を、図面を参照して記述する。その図面では、全体を通して、同様の参照番号は同様の要素を指すように用いられている。図は必ずしも寸法通りではないということは理解されよう。
【００３１】
互換性のある用語「電子装置（electronic equipment）」と「電子デバイス（electronic device）」は、携帯無線通信装置、パーソナルコンピュータ、ディジタル・ビデオ・レコーダ、ディジタル一体型ビデオ・カメラ、ディジタル・カメラ、コンピュータ周辺デバイスなどを含む。「携帯無線通信装置」という用語は、ここでは以後「携帯無線端末」と呼ぶが、携帯電話機、ページャ、コミュニケ―タ、電子手帳、携帯情報端末（ＰＤＡ），スマートフォン、携帯通信装置、携帯ゲーム装置、ポータブルメディア装置（ビデオ及び／又はオーディオ）、その他のような全ての装置を含む。
【００３２】
本明細書では、本発明の実施形態は、主に携帯電話機に関して記述される。しかし、本発明は、携帯電話機に限定されるものではなく、あらゆるタイプの電子装置に関するものであってもよいと理解されよう。
【００３３】
まず初めに図１及び２を参照すると、電子装置１０及びアクセサリ装置１２が示されている。「アクセサリ装置」という用語は、ユーザによって携帯装置などに機能性を付け加えるような電子装置の利用法を可能とすることを特徴とする、電子装置に結合できる任意の装置を意味する。典型的なアクセサリ装置は、ヘッドセット、ハンズフリー・ヘッドフォン、ハンズフリー・スピーカ、ユーザ入力デバイス、コンピュータ周辺機器、その他を含む。
【００３４】
電子装置１０は、電子装置１０をアクセサリ装置１２と接続するための電気的コネクタ１６を受容する第１のポート１４を含む。以下に詳しく記述するように、第１のポート１４及び電気的コネクタ１６は、一般的にはユニバーサル・シリアル・バス（ＵＳＢ）コネクタ（例えば、標準ＵＳＢコネクタ、ミニＵＳＢコネクタ、マイクロＵＳＢコネクタなど）を受容するように構成されている。更に、電子装置１０は、電子装置１０をアクセサリ装置１２と接続するための電気的コネクタ２０（例えば、オーディオ・コネクタ）を受容するための第２のポート１８を含む。以下に詳しく記述するように、第２のポート１８は、一般的には、電気的コネクタ２０を通してアクセサリ装置１２へ１つ以上の出力信号を出力するように構成されている。
【００３５】
例示された実施形態の電子装置１０は、携帯電話機であり、携帯電話機１０と呼ぶことにする。携帯電話機１０はレンガ状又はブロック状の形状を有するものとして示されている。もっとも、（例えばクラムシェル筐体のような）「フリップ・オープン」型、あるいは、（例えばスライダ筐体のような）スライド型といった他の形状を用いても良い。
【００３６】
携帯電話機１０は、ディスプレイ２２を含みうる。ディスプレイ２２は、ユーザに、動作状態、時刻、電話番号、接続情報、各種の案内メニューなどのような、携帯電話機１０のいろいろな特徴をユーザが利用できるようにする情報を表示する。ディスプレイ２２は、また、携帯電話機１０で受信した、及び／又は携帯電話機１０のメモリ２４（図２）から取り出した内容を視覚的に表示するために用いられてもよい。ディスプレイ２２は、写真、携帯テレビ番組及びゲームに関係するビデオのような画像、ビデオ、及び他の図形をユーザに表示するために用いてもよい。
【００３７】
キーパッド２６は、ユーザの色々な入力操作に備える。例えば、キーパッド２６は、通常は電話番号、電話帳、接続情報、ノートなどのような英数字情報を入力できるように英数字キーを含む。更に、キーパッド２６は、通常は通話を始めたり、又は回答するための通話送信キー及び、通話を終了したり、又は保留したりするための通話終了キーのような特別機能キーを含む。特別機能キーは、また、ディスプレイ２２上に表示されたメニューをめぐることを可能とするメニュー・ナビゲーションと選択キーを含んでもよい。例えば、ユーザからの方向指示入力を受け付けるために、指示デバイス及び／又はナビゲーション・キーが存在してもよい。特別機能キーは、再生を開始、中止、一時停止、スキップ、又は繰り返し、その他を行うための音声画像コンテンツ再生キーを含んでもよい。携帯電話機１０に関係する他のキーは、音量キー、音声ミュートキー、電源オン／オフ・キー、ウェブブラウザ開始キー、カメラキー、などを含んでもよい。キー又はキーに似た機能は、またディスプレイ２２に関係するタッチ・スクリーンのように埋め込まれていてもよい。また、ディスプレイ２２とキーパッド２６は、柔軟なキーの機能を実現するために相互連携で用いられてもよい。
【００３８】
携帯電話機１０は、携帯電話機１０が呼を確立することを可能にする、及び／又は受話／送話デバイス、通常は他の携帯電話機又は固定電話であるが、これと信号を交換することを可能にする呼回路網を含む。しかしながら、受話／送話デバイスは、他の電話機だけである必要はなく、インターネット・ウェブサーバやコンテンツ配信サーバなどのような何か他のデバイスであってもよい。呼は適当な任意の形態をとってよく、例えば、呼は、セル構造の回線交換網上で確立されている通常の呼であってもよく、又はセル構造ネットワーク又は、ＷｉＦｉ（例えば、ＩＥＥＥ ８０２．１１標準に基づくネットワーク）、ＷｉＭａｘ（例えば、ＩＥＥＥ ８０２．１６標準に基づくネットワーク）などの代替のパケット交換ネットワークのパケット交換機能を用いて確立したインターネット・プロトコル音声呼であってもよい。
【００３９】
携帯電話機１０は、テキスト・メッセージ（たとえば、テキスト・メッセージは、普通は、人によっては、ショート・メッセージ・サービスを表す「ＳＭＳ」とよばれる。）、インスタント・メッセージ、電子メール・メッセージ、マルチメディア・メッセージ（たとえば、マルチメディア・メッセージは、普通は、人によってはマルチメディア・メッセージ・サービスを表す「ＭＭＳ」と呼ばれる。）、画像ファイル、ビデオファイル、オーディオファイル、着信音、ストリーミング・オーディオ、ストリーミング・ビデオ、（ポッド・キャストを含む）データ・フィード、などのようなデータを送信し、受信し、及び／又は処理するように構成されていてもよい。そのようなデータを処理するステップは、データをメモリ２４に蓄積するステップと、ユーザがデータと相互作用ができるアプリケーションを実行するステップと、データに関係するビデオ及び／又は画像コンテンツを表示するステップと、データに関係するオーディオ音楽を出力するステップ及びその他を含んでもよい。
【００４０】
図１に示されたアクセサリ装置１２は、任意の所望のアクセサリであってよい。例えば、アクセサリ装置は、（図１に示したような）ハンズフリー・アクセサリであってもよく、該アクセサリ装置は、ヘッドセット、キーパッド、スピーカ、携帯電話機１０に無線の機能性を付与し増大させるために（たとえば、ＩＥＥＥ  ８０２．１１通信アダプタ、赤外線アダプタ、無線周波数識別アダプタ、近距離通信アダプタ、その他のような）無線アダプタ、コンピュータ周辺機器、その他であってもよい。図１に示すように、該アクセサリ装置１２は、携帯電話機１０からオーディオ信号を出力するスピーカ２８と、オーディオ信号を収集して携帯電話機１０へ転送するマイクロホン３０を備えたハンズフリー・アクセサリである。よく知られているように、種々のアクセサリ装置が、サービス動作、データ通信、付加機能性、よりよい動作、などを提供するために携帯電話機又は他の電子装置に接続されることがしばしばである。例えば、第１のポート１４は、携帯電話機１０を携帯電話機１０内のバッテリを充電するための充電器に接続するための手段として働くこともできる。第１のポート１４は、また、携帯電話機１０とアクセサリ装置１２との間でデータを転送するためのデータ・ケーブル（例えば、データ・ケーブル３２）を受容する手段として働くこともできる。
【００４１】
図１に示すように、ケーブル３２は、一般的には、アクセサリ装置１２を携帯電話機１０にポート１４を通して結合するために備えられる。更に、ケーブル３４は、アクセサリ装置１２を、また、携帯電話機１０にポート１８を介して結合させるために備えられている。ケーブル３２、３４は、任意の所望のケーブルであってよい。ケーブル３２は、ポート１４の構成に整合したユニバーサル・シリアル・バス（ＵＳＢ）コネクタ（例えば、標準ＵＳＢコネクタ、ミニＵＳＢコネクタ、及び／又はマイクロＵＳＢコネクタ）を含む自由端をもつのが好適である。更に、ケーブル３４は、ポート１８の構成に整合したオーディオポートコネクタを含む自由端をもつ。特定のコネクタのタイプがポート１４、１８に対して規定されたが、マッチング・コネクタをもつ任意のタイプのポートが本発明のいくつかの側面を実施するために適しているであろうことは、当業者ならすぐに理解するであろう。
【００４２】
図２は、携帯電話機１０及びアクセサリ装置１２の機能的ブロック図を表す。簡単化のために、携帯電話機１０及びアクセサリ装置１２の一般的な従来からの特徴はここでは詳細には記述しない。携帯電話機１０は、携帯電話機１０の機能及び動作の全体の制御を実行するように構成された主制御回路４０を含む。制御回路４０は、ＣＰＵ、マイクロ制御器、又はマイクロプロセッサのような処理装置４２を含んでもよい。処理装置４２は、携帯電話機１０の動作を実行するために、制御回路４０内にある（不図示の）メモリ内に、及び／又はメモリ２４のような別のメモリ内に蓄積されたコードを実行する。
【００４３】
メモリ２４は、不揮発メモリ２４ａを用いて実装された読み出し専用メモリ領域と、揮発性メモリ２４ｂを用いて実装されたランダム・アクセス又はシステム・メモリ領域とを含むことができる。容易に理解されるように、不揮発メモリは、電源が消えてもデータ蓄積機能を消失するということはなく、通常はデータ、アプリケーション・コード、ファイル及びその他を蓄積するために用いられる。不揮発メモリ２４ａは、例えば、フラッシュ・メモリを用いて実装されてもよい。以下に論じるように、不揮発メモリ２４ａは、アクセサリ識別情報を任意の所望の形態で蓄積するテーブル６４（ここではルック・アップ・テーブル（ＬＵＴ）とも呼ばれる）を含みうる。１つの実施形態では、テーブル６４は、アクセサリ装置のインピーダンスの関数としてアクセサリ識別情報を組織的にまとめている。
【００４４】
容易に理解されるように、揮発性メモリは、電源が消えるとデータ蓄積機能を失うということになり、通常は、論理処理ステップの実行の間に処理装置４２によって呼び出されるデータを蓄積するために用いられる。揮発性メモリ２４ｂは、例えばランダム・アクセス・メモリ（ＲＡＭ）である。データは、従来のように、不揮発メモリ２４ａと揮発性メモリ２４ｂの間で交換されうる。不揮発メモリ２４ａと揮発性メモリ２４ｂは、携帯電話機１０に対して、又は中でメモリ２４を用いる他の電子装置に対して適当となるサイズであってよい。
【００４５】
引き続き図１と２を参照すると、携帯電話機１０は、無線回路４６に結合したアンテナ４４を含む。無線回路４６は、従来のようにアンテナ４４を経由して信号を送信及び受信するための、無線周波数の送信器及び受信器を含む。無線回路４６は、移動通信システムで動作するように構成され、データ及び／又はオーディオ映像コンテンツを送受信するために用いられる。移動無線ネットワーク及び／又は放送網と連携した受信器のタイプは、ＧＳＭ、ＣＤＭＡ、ＷＣＤＭＡ、ＧＰＲＳ、ＷｉＦｉ、ＷｉＭａｘ、ＤＶＢ−Ｈ、ＩＳＤＢ−Ｔなど、及びこれら標準方式の進歩形式を含むが、これに限定されることはない。
【００４６】
携帯電話機１０は、無線回路４６によって送受信されるオーディオ信号を処理するための音響信号処理回路５０をさらに含む。従来のようにユーザが携帯電話機１０を通して聴いたり話したりできるようなスピーカ５２とマイクロホン５４が音響信号処理回路５０に結合している。無線回路４６と音響信号処理回路５０は、それぞれ、全ての動作を実行するように制御回路４０に結合している。ユーザへの再生の時は、オーディオデータは、制御回路４０から音響信号処理回路５０へ通ることもある。オーディオデータは、例えば、メモリ２４によって蓄積され、制御回路４０によって取り出されたオーディオファイルからのオーディオデータ、又は移動無線サービスから流れているオーディオデータの形態のような受信オーディオデータを含んでもよい。音響信号処理回路５０は、任意の適当なバッファ、復号器、増幅器及びその他を含んでもよい。
【００４７】
ディスプレイ２２は、ディスプレイ２２を駆動するために用いられるビデオ信号にビデオデータを変換する機能をもつビデオ処理回路５６によって制御回路４０に結合している。ビデオ処理回路５６は、任意の適当なバッファ、復号器、ビデオデータ処理器、及びその他を含んでもよい。ビデオデータは、制御回路４０によって発生したもの、メモリ２４に蓄積されたビデオファイルから取り出されたもの、無線回路４６によって受信して入力されたビデオデータ・ストリームから引き出されたもの、又は任意の他の適当な方法によって得られたものであってよい。
【００４８】
携帯電話機１０は、１つ以上のＩ／Ｏインタフェース５８を備える。Ｉ／Ｏインタフェース５８は、通常の携帯電話機のＩ／Ｏインタフェースの形態であってよく、１つ以上の電気的コネクタを含む。通常と同じように、Ｉ／Ｏインタフェース５８は、携帯電話機１０内の電源供給ユニット（ＰＳＵ）６０のバッテリを充電するために、携帯電話機１０をバッテリ充電器へ接続するために用いられてもよい。更に、代替としては、Ｉ／Ｏインタフェース５８は、携帯電話機１０を、図１と２に示したように、ポート１８（例えば、オーディオ・コネクタ）を通して携帯電話機１０と線で結ばれたアクセサリ装置１２（例えば、ヘッドセット・アセンブリ（例えば、パーソナル・ハンズフリー（ＰＨＦ）デバイス）と接続するために働いてもよい。更に、Ｉ／Ｏインタフェース５８は、ポート１４（例えば、ＵＳＢコネクタ）とアクセサリ装置１２の間を結合するデータケーブル３２を通して、アクセサリ装置１２、パーソナルコンピュータ、コンピュータ周辺機器、又は任意の他の電子装置へ携帯電話機１０を接続するように働いてもよい。更には、携帯電話機１０は、自動車電源アダプタ又は電気出力電源アダプタに接続された時に、Ｉ／Ｏインタフェース５８を経由して動作電力を受け取ってもよい。図２の概略図はそもそも例示目的であること、及び装置は指定されたもの以外の１つ以上の装置に結合してもよいこと、又は、代替としては、例示された特定の装置に結合していなくともよいことは当業者にはすぐに理解できるであろう。例えば、ポート１８（例えば、オーディオ・コネクタ）は、Ｉ／Ｏインタフェース回路網５８ではなくて、又はそれに加えて音声信号処理回路５０に結合してもよい。
【００４９】
携帯電話機１０は、また、一般的には第１のポート１４と第２のポート１８と制御回路４０の間に結合したインピーダンス検出回路網６２を含む。インピーダンス検出回路網６２は、一般的には、第１のポート１４と第２のポート１８の間に結合したアクセサリ１２のインピーダンスを測定する。本発明はインピーダンス（impedance）という用語を用いて記述されるが、抵抗（resistance）という用語を用いてもよいということは、当業者はすぐに理解するであろう。このように、ここで用いる用語「インピーダンス」は、抵抗の物理的な特性を含んでいる。インピーダンスは、任意の所望の方法で測定されうる。例えば、アクセサリ装置が第１のポート１４と第２のポート１８に接続されると、携帯電話機１０は、第１のポート１４と第２のポート１８の間の測定されたインピーダンスに基づいて、各ポートに接続されたアクセサリ１２を識別することを自動的に試みる。
【００５０】
一般的には、携帯電話機１０は、従来型のインピーダンスを測定する回路網を含む。例えば、インピーダンス検出回路網６２は、異なる周波数のＲＦ励振信号を、ポート１４と１８に接続されたアクセサリ１２に供給する回路網を含んでもよい。インピーダンス検出回路網６２は、今度は、ＲＦ励振信号からのエネルギがアクセサリ装置１２に転送される程度を検出し、メモリ２４ａに蓄積されたテーブル６４の中に蓄積されたアクセサリ装置群の中からポート１４と１８に接続されたアクセサリ装置を識別する。
【００５１】
テーブル６４は、一般的には、測定されたインピーダンスの関数としてアクセサリ識別情報を格納する。例えば、測定されたインピーダンスが計算されると、計算された値は、ポート１４と１８の間に接続されたアクセサリを識別するために用いることができる。アクセサリ装置が識別されると、このアクセサリ装置に関係する１つ以上のコンフィグレーション設定情報を含んでいるアクセサリ識別情報が読み出し可能となり、テーブル６４の中に格納された１つ以上の所定の値に基づいて、携帯電話機１０とアクセサリ装置との相互関係を構築するために用いられる。典型的なアクセサリ識別情報は、例えば、そのアクセサリ装置に対する最適なオーディオ設定、デバイス・フォーマット、デバイス通信プロトコル、ステレオ品質、その他を含む。アクセサリ装置に関係する任意の所望のパラメータをルックアップ・テーブル６４内に格納してもよい、ということは当業者は容易に理解するであろう。
【００５２】
インピーダンス検出回路網６２は、アクセサリ装置１２に供給されたＲＦ励振信号の定在波比を測定する定在波比（ＳＷＲ）測定器を含みうる。回路網６２は、そこで、アクセサリ装置１２の特性を最適化するためのアクセサリ識別情報に基づいて携帯電話機１０を、特有の携帯電話機１０を用いるかのように自動的に構築することができる。
【００５３】
携帯電話機１０は、また、制御回路４０のような携帯電話機１０の各種構成要素にクロックを供給するシステムクロック６４を含む。制御回路４０は、通話時間の計時、時間と日付スタンプのコンテンツの発生、及びその他の計時機能を実行することができる。
【００５４】
さて、例示のアクセサリ装置１２を参照すると、アクセサリ装置１２は、アクセサリ装置１２の機能と動作の全般制御を実行するように構成された主制御回路１０２を含む。制御回路１０２は、ＣＰＵ、マイクロコントローラもしくはマイクロプロセッサのような処理装置１０４を含む。処理装置１０４は、アクセサリ装置１２の動作を実行するために、制御回路１０２内の（不図示の）メモリ及び／又は別の（不図示の）メモリに格納されたコードを実行する。メモリは、例えば、バッファ、フラッシュ・メモリ、ハード・ドライブ、リムーバブル・メディア、揮発性メモリ及び／又は不揮発メモリであってよい。更に、処理装置１０４は、アクセサリ装置１２の各種機能を実現するためのコードを実行する。
【００５５】
アクセサリ装置１２は、アクセサリ装置１２を携帯電話機１０と接続するために、それぞれ自由端上に取り付けられた適当な電気的コネクタ１６、２０を有するデータケーブル３２とオーディオ出力ケーブル３４に結合しているように示されている入力／出力インタフェース・アダプタ１０６を含む。入力／出力インタフェース・アダプタ１０６は、一般的には、１つ以上のポートを通してアクセサリ装置１２を携帯電話機１０に接続するように働く。
【００５６】
アクセサリ装置１２は、オーディオデータを処理するオーディオデータ処理装置１０８をさらに含む。例えば、オーディオデータ処理装置１０８は、マイクロホン３０から受け取ったオーディオ信号を符号化するエンコーダ１１０を含みうる。符号化されたオーディオデータは、電話の呼の一部として用いるために携帯電話機１０へ伝えられる。更に、オーディオデータ処理装置１０８は、携帯電話機１０及び／又はネットワークに関係する１つ以上のデバイスから受け取ったオーディオデータを処理するためにデコーダ１１２及びデータバッファ１１４を含みうる。
【００５７】
受信されるオーディオデータは、電話の呼に関係する、入力されるオーディオデータであってもよい。他の状況では、アクセサリ装置１２によって受信されるオーディオデータは、携帯電話機１０によって再生される、オーディオファイルから導かれるオーディオ（例えば、音楽、音、声、など）であってもよい。オーディオデータは、携帯電話機１０のディスプレイ２２に表示されるビデオ・コンテンツに関係してもよい。例えば、メモリ２４に蓄積されたオーディオ成分を含むビデオファイルは、携帯電話機１２によって変形されてもよい。そのような状況では、ビデオファイル又は受信したビデオ信号のビデオ成分は、例えば、携帯電話機１０の制御回路４０又は、見るためにディスプレイ２２へビデオ信号出力を発生する（不図示の）専用ビデオデコーダによって復号されうる。ビデオファイル又は受信したビデオ信号のオーディオ成分は、復号化されオーディオ信号としてスピーカ５２へ伝送され、及び／又はオーディオ成分は、スピーカ２８によって出力されるオーディオ信号に復号するために、オーディオデータとしてアクセサリ装置１２へ送信されうる。
【００５８】
上記したように、携帯電話機１０又は他の電子装置を、それぞれがアクセサリ装置１２の特性に依存して設定される１つ以上の通信プロトコル及び／又はパラメータを含む色々なアクセサリ装置へ接続するために、ポート１４、１８を利用するのが望ましいことが多い。本発明のいくつかの側面は、携帯電話機１０がポート１４と１８に接続された特定のアクセサリ装置１２を識別することを可能にする自動アクセサリ装置識別システムを提供する。以下により詳細に説明するように、自動アクセサリ識別方法は、ポート１４と１８の間で測定されるインピーダンスに基づいてアクセサリ装置を自動的に識別する。
【００５９】
より具体的には、自動アクセサリ識別システムは、携帯電話機１０のポート１４と１８に接続されたアクセサリ装置１２に（０Ｈｚを含む）異なる周波数のＲＦ励振信号を供給するインピーダンス検出回路網６２を含む。インピーダンス検出回路網６２は、今度は、ＲＦ励振信号からのエネルギがアクセサリ装置１２へ転送される程度を検出し、そのような検出結果に基づいて、他のアクセサリ装置群の中から、ポート１４、１８に接続されたアクセサリ装置１２を識別する。例えば、回路網６２は、アクセサリ装置１２に提供されるＲＦ励振信号の定在波比を測定する定在波比（ＳＷＲ）測定器を含む。回路網６２は、そこで、携帯電話機をアクセサリ装置と所定の形式で相互につながるように自動的に構成してもよい。例えば、アクセサリ装置が、モノラルではなくてステレオモードで動作するハンズフリーデバイスである場合は、携帯電話機１０を、ステレオオーディオ品質をアクセサリ装置１２へ送信するように構成してもよい。
【００６０】
インピーダンス検出回路網６２は、ポート１４、１８に接続されたアクセサリ装置１２を自動的に識別する。一般的には、ポート１４と１８は、アクセサリ装置１２からの電気的コネクタを受容する。各電気的コネクタの各ピンに対応する信号は、インピーダンス検出回路網６２へ送られる。検出されたインピーダンスに基づいて、携帯電話機１０は、テーブル６４に蓄積された１つ以上の値を用いてアクセサリ装置１２と通信するように構成される。例えば、検出されたインピーダンスがステレオ・データを用いるアクセサリに対応する場合には、携帯電話機１０は、それに従って、そのようなデータをアクセサリ装置１２へ流すように構成される。同様に、検出されたインピーダンスがルックアップ・テーブルにはないアクセサリ装置に対応する場合には、携帯電話機１０を、大抵のアクセサリ装置と融合する低品質オーディオ信号をアクセサリ装置へ出力するように自動的に構成してもよい。
【００６１】
さて図３に移ると、インピーダンス検出回路網６２がより詳細に示されている。回路網６２は、ここで記述する自動的にアクセサリの識別及び構成を制御するいろいろな動作を実行するように構成されたＩＤコントローラ１５０を含む。容易に理解されるように、ＩＤコントローラ１５０は、制御回路４０とは別物であってよい。あるいは、ＩＤコントローラ１５０は、単純に制御回路４０の一部であっても本発明の範囲を逸脱しない。
【００６２】
システム５０は、システムポート１４と１８に接続された特定のアクセサリ装置１２に提供されるＲＦ励振信号を発生するＲＦ発振器１５２をさらに含む。ＲＦ発振器１５２は、周波数が固定の多重発振器、可変周波数発振器、又はそれらの組み合わせを含んでもよい。本発明の目的のためには、信号源が個別であるか、他のＲＦ回路から分離しているかどうかにかかわらず、単純にＲＦ励振信号源が備わっていればよい。
【００６３】
典型的な実施形態では、インピーダンス検出回路網６２は、スイッチ１５４を含む。スイッチ１５４は、ピン入力の任意の組み合わせをスイッチに呼び出すように特注できる。例えば、ポート１４への電気的コネクタ１６は、ＵＳＢコネクタであってもよいので、コネクタ１６に関係するピンは４個又は５個あってもよい。同様に、オーディオ・コネクタ２０は、２個、３個、又は４個の呼び出し可能なピンを含んでもよいので、この２つのポートで得ることのできる信号の１つ以上の組み合わせを呼び出すことが必要であろう。スイッチ１５４は、第１及び／又は第２のポート（例えば、ポート１４と１８）から受け取るピンの任意の組み合わせに接続できるのは当然である。
【００６４】
また、典型的な実施形態で示したように、定在波計１５６がある。知られているように、定在波計は、伝送線路に沿っての定在波比を測定する。定在波計１５６をスイッチ１５４の近くに配置することによって、定在波計１５６は、ポート１４、１８に接続されたアクセサリ装置１２の定在波（ＳＷＲ）を指示する出力を発生する。
【００６５】
再びＩＤコントローラ１５０を参照すると、これは、ＩＤコントローラ１５０の内部に格納された、テーブル６４に同等のテーブルをもっていてもよい。このようなテーブルは、１つ以上の所定のアクセサリ装置１２をインピーダンスの値に基づいて識別する。代替法としては、ＩＤコントローラ１５０は、メモリ２４ａに格納されたテーブル６４を利用してもよい。テーブル６４は、電子装置１０の２つの接続されたポート間で測定されるインピーダンスに基づいた対応識別情報と一緒に、携帯電話機１０と共に利用することに適した１つ以上の所定のアクセサリ装置１２を識別する。このような識別情報は、通信プロトコル、符号化プロトコル、調整可能なオーディオ・パラメータ、などに対応してもよい。テーブル６４は、一般的には、ポート１４と１８の間で検出されるインピーダンスに基づいてアクセサリ装置を識別する。以下にテーブル６４の構造例を示す。
【００６６】
【表１】
2011505714.tif 000003
注）表に列挙した値は、本来、例示的であり、特定の装置及び／又は形式を指すものではない。有用と思われる識別情報は適当なテーブル形式に格納されるのがよい。
【００６７】
図４に、アクセサリ自動識別及び設定の方法２００のフローチャートを示す。ステップ２０２から始めて、インピーダンス検出回路網６２は、アクセサリ装置１２がポート１４、１８に接続されたかどうかを測定する。これは既知の多くの手法を用いて行うことができる。例えば、ポート１４、１８のそれぞれは、他のコネクタがポートに接続されたかどうかを示すマイクロスイッチを含んでもよい。代替法としては、ポート（１４、１８）間のインピーダンスの変化を検知するステップによって、コネクタがポート１４、１８のそれぞれに取り付けられていることを示してもよい。コネクタが１つのポートだけに取り付けられているときは、２つのポート（１４と１８）間のインピーダンスは多分非常に高くなり、これはアクセサリが第１のポート１４と第２のポート１８に接続されているとは指示しないであろう。
【００６８】
ステップ２０２でアクセサリ装置１２がポート１４と１８に接続されたことと判断されると、システムはステップ２０２に進み、インピーダンス検出回路網６２は、第１と第２のポート（例えば、ポート１４と１８）の間のアクセサリ装置１２のインピーダンスを測定する。アクセサリ装置のインピーダンスは、第１のポート１４と第２のポート１８のそれぞれで得られるピンの任意の及び／又は全ての組み合わせに関して、及び（０Ｈｚを含む）任意の所望周波数で測定されてもよい。インピーダンス検出回路網６２は、第１のポート１４と第２のポート１８に接続されたアクセサリ装置１２のインピーダンスを測定するための任意の方法を用いてもよい。
【００６９】
ステップ２０４では、アクセサリ装置１２のインピーダンスが測定されると、測定された値は、テーブル６４に格納された値と比較される。測定された値がテーブル６４の中の値に一致すると、アクセサリ装置１２が識別される。
【００７０】
ステップ２０６では、携帯電話機１０は、少なくとも一部は第１のポートと第２のポートの間で測定されたインピーダンスに基づいて関連アクセサリ装置へ信号を出力するように構成される。
【００７１】
本発明の特定の実施形態が開示された。本発明は、他の環境では他の応用形態をもってもよい、ということを当業者はすぐに認識するであろう。実際、多くの実施形態と実装形態が可能である。以下の請求の範囲は、本発明の範囲を上に記述した特定の実施形態に限定しようとするものでは決してない。また、「のための手段（means for）」という用語は、どの場合も、要素と請求項で、「ミーンズプラスファンクション（means-plus-function）」と読まれることが想定される。一方、「のための手段」の用語を具体的に用いない任意の要素は、請求項が別に「手段」という語を含んでいても、「ミーンズプラスファンクション」の要素と読まれるようには意図されてはいない。同様に、特定の方法のステップが特定の順番で繰り返されるが、方法のステップは任意の所望の順番で行ってもよく、それは本発明の範囲内に含まれる。
【００７２】
本発明は、或る種の好適な実施形態又は実施形態に関して示され、記述されたが、当業者には、この明細書と添付の図面とを読んで理解すれば、均等な変形や改良が容易に想起されるであろうことは明らかである。特に、上に記述した要素（組成、組み立て、デバイス、成分など）によって行われるいろいろな機能に関して、そのような要素を記述するために用いられた用語（「手段」という用語を含んで）は、そうでないと明示された場合を除き、ここで示された典型的な実施形態又は本発明の実施形態における機能を行うような、開示された構造とは構造的に等価ではなくても、記述された要素の特定の機能を行う任意の要素（すなわち機能的に等価な要素）にも対応するものと意図されている。更に、本発明の特定の特徴機能が、色々に示された唯一又はそれ以上の実施形態に関して上記されたが、そのような特徴機能は、任意の、所定の、又は特定の応用に対して望ましくかつ有利であるように、他の実施形態の１つ以上の他の特徴機能と組み合わされてもよい。
【図１】
2011505714.tif 000004
【図２】
2011505714.tif 000005
【図３】
2011505714.tif 000006
【図４】
2011505714.tif 000007
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
アクセサリ装置（１２）からの第１のコネクタ（１６）を受容する第１のポート（１４）と、
前記アクセサリ装置からの第２のコネクタ（２０）を受容する第２のポート（１８）と、
前記第１のポートと前記第２のポートとの間で測定されるような前記アクセサリ装置に関するインピーダンス及び／又は抵抗を測定するために、前記第１のポートと前記第２のポートとに接続された回路網（６２）と、
を有し、
前記測定されたインピーダンス及び／又は抵抗は、前記アクセサリ装置を識別するためのアクセサリ識別情報として使用されることを特徴とする電子装置（１０）。
【請求項２】
前記第１のポートは、ユニバーサル・シリアル・バス（ＵＳＢ）ポートであることを特徴とする請求項１に記載の電子装置。
【請求項３】
前記第２のポートは、オーディオポートであることを特徴とする請求項１又は２に記載の電子装置。
【請求項４】
前記電子装置から前記アクセサリ装置への１つ以上の出力信号を、アクセサリ識別情報に基づいて調整するためのオーディオ信号処理回路網（１５０）を更に有することを特徴とする請求項１乃至３のいずれか１項に記載の電子装置。
【請求項５】
前記回路網は、前記第１のポートと前記第２のポートとに接続された前記アクセサリ装置にＲＦ励振信号を供給し、前記ＲＦ励振信号が前記アクセサリ装置へ転送される程度に基づいてインピーダンス及び／又は抵抗を検出することを特徴とする請求項１乃至４のいずれか１項に記載の電子装置。
【請求項６】
前記回路網は、前記ＲＦ励振信号からのエネルギが転送される程度を検出するために、前記アクセサリ装置に供給された前記ＲＦ励振信号の定在波比を測定することを特徴とする請求項１乃至５のいずれか１項に記載の電子装置。
【請求項７】
前記回路網は定在波比計（１５６）を含むことを特徴とする請求項６に記載の電子装置。
【請求項８】
アクセサリ識別情報を前記第１のポートと前記第２のポートとの間で測定されるインピーダンスの関数として記憶するための、前記回路網に接続されたメモリを更に有することを特徴とする請求項１乃至７のいずれか１項に記載の電子装置。
【請求項９】
前記回路網は、メモリに蓄積されたアクセサリ識別情報から、前記第１のポートと前記第２のポートとに接続されたアクセサリ装置を識別することを特徴とする請求項１乃至８のいずれか１項に記載の電子装置。
【請求項１０】
前記電子装置は携帯電話機であることを特徴とする請求項１乃至９のいずれか１項に記載の電子装置。
【請求項１１】
前記アクセサリ装置はヘッドセット・アクセサリ装置であることを特徴とする請求項１乃至１０のいずれか１項記載の電子装置。
【請求項１２】
アクセサリ装置（１２）を識別するための方法であって、
アクセサリ装置からの第１のコネクタ（１６）を第１のポート（１４）で受容するステップと、
前記アクセサリ装置からの第２のコネクタ（２０）を第２のポート（１８）で受容するステップと、
前記第１のポートと前記第２のポートとの間で測定されるような前記アクセサリ装置に対応するインピーダンス及び／又は抵抗を測定するステップと、
前記測定されたインピーダンス及び／又は抵抗に基づいて前記アクセサリ装置を識別するステップと、
を有することを特徴とする方法。
【請求項１３】
前記第１のポートは、ユニバーサル・シリアル・バス（ＵＳＢ）ポートであることを特徴とする請求項１２に記載の方法。
【請求項１４】
前記第２のポートは、オーディオポートであることを特徴とする請求項１２又は１３に記載の方法。
【請求項１５】
前記アクセサリ装置の識別情報を決定するために、前記第１のポートと前記第２のポートとの間で測定されるインピーダンスと、メモリに格納された１つ以上の値とを比較するステップを更に有し、前記メモリは、アクセサリ識別情報を前記第１のポートと前記第２のポートとの間で測定されるインピーダンスの関数として記憶することを特徴とする請求項１２乃至１４のいずれか１項に記載の方法。
【請求項１６】
前記アクセサリ識別情報は、前記メモリにおけるテーブル（６４）に格納されていることを特徴とする請求項１２乃至１５のいずれか１項に記載の方法。
【請求項１７】
前記第１のポートと前記第２のポートとの間で測定されるインピーダンスに少なくとも部分的に基づいて、前記アクセサリ装置の出力を調整するステップを更に有することを特徴とする請求項１２乃至１６のいずれか１項に記載の方法。
【請求項１８】
前記インピーダンスを測定するステップは、
前記第１のポートと前記第２のポートとに接続された前記アクセサリ装置にＲＦ励振信号を供給するステップと、
前記ＲＦ励振信号が前記アクセサリ装置に転送される程度に基づいてインピーダンスを検出するステップと、
を含むことを特徴とする請求項１２乃至１７のいずれか１項に記載の方法。
【国際調査報告】
2011505714.tif 000008
2011505714.tif 000009